(57)【特許請求の範囲】
【請求項１】
使用者が着座する座部と、前記座部を支持する脚部と、正面視において前記座部の側部よりも上方にて上向きに延びる棒状部と、前記棒状部に上下回動自在に支持された肘掛けと、を備えた椅子であって、
前記棒状部には、左右方向に貫通する孔が形成され、
前記肘掛けは、それぞれ左右方向に貫通する孔が形成された左側板部および右側板部を有し、前記左側板部と前記右側板部との間に前記棒状部が位置するように配置され、
前記左側板部および前記右側板部の一方から他方に向かって挿入され、前記左側板部の孔と前記棒状部の孔と前記右側板部の孔とを貫通するボルトと、
前記ボルトの先端部に締め付けられ、前記左側板部および前記右側板部の他方と接触するナットと、
少なくとも前記棒状部の孔に挿入され、その内部に前記ボルトが挿通されることにより、前記棒状部の孔の内周面と前記ボルトとの間に介在するカラー部材と、を備え、
前記カラー部材の長さは、前記ボルトと前記ナットとを締め付ける前の前記左側板部の孔の左端と前記右側板部の孔の右端との間の距離よりも短い、椅子。
【請求項２】
前記カラー部材は、前記左側板部の孔と前記棒状部の孔と前記右側板部の孔とに挿入され、前記左側板部の孔、前記棒状部の孔、および前記右側板部の孔の内周面と前記ボルトとの間に介在する、請求項１に記載の椅子。
【請求項３】
前記カラー部材の長さは、前記ボルトと前記ナットとを締め付ける前の前記左側板部の孔の左端と前記右側板部の孔の右端との間の距離よりも、０．１ｍｍ〜２ｍｍ短い、請求項１または２に記載の椅子。
【請求項４】
前記左側板部、前記右側板部、および前記棒状部は、金属材料から形成され、
前記左側板部と前記棒状部との間、および前記右側板部と前記棒状部との間に、左右方向に貫通する孔が形成された樹脂製のカバー部材が設けられ、
前記カラー部材は更に、前記カバー部材の孔に挿入されている、請求項１〜３のいずれか一つに記載の椅子。
【請求項５】
前記椅子は、浴室内で使用される浴室用椅子である、請求項１〜４のいずれか一つに記載の椅子。
【請求項６】
前記脚部は、前方斜め下向きに延びる前脚本体を有する前脚部と、後方斜め下向きに延びる後脚本体を有する後脚部とを有し、
前記前脚部と前記後脚部とは、互いに水平軸周りに回動自在に結合され、
前記棒状部は、前記前脚部または前記後脚部と一体的に形成されている、請求項１〜５のいずれか一つに記載の椅子。
【発明の詳細な説明】
【技術分野】
【０００１】
本発明は、上下に回動自在な肘掛けを有し、浴室等にて好適に利用可能な椅子に関する。
【背景技術】
【０００２】
高齢者等が浴室等で使用する椅子として、上下に回動自在な肘掛けを備えた椅子がよく用いられている。このような椅子によれば、肘掛けを上方へ回動させることによって（言い換えると、肘掛けを跳ね上げることによって）、座部の側方を開放することができる。そのため、高齢者等にとって、座部に座る動作等が容易となる。また、浴室等の狭いスペースで利用される椅子では、非使用時には折り畳むことによってコンパクトにできることが好ましい。上下回動自在な肘掛けを備えた椅子によれば、折り畳んだ際に肘掛けを回動させることにより、肘掛けが出っ張らないようにすることができ、コンパクトにすることができる。
【０００３】
特許文献１には、そのような肘掛けを備えた椅子が開示されている。特許文献１に開示された椅子の肘掛けは、ヒンジピンを介して前脚および後脚に回動自在に支持されている。詳しくは、前脚は貫通孔が形成された固定板を備え、後脚は貫通孔が形成された後脚本体を備え、肘掛けは貫通孔が形成された肘掛け本体を備えている。肘掛け本体、固定板、および後脚本体は、それら貫通孔が左右に並ぶように並置される。それらの貫通孔には、ボルトからなるヒンジピンが挿通され、ヒンジピンの先端にはナットが締め付けられる。これにより、肘掛けはヒンジピンを介して前脚および後脚に回動自在に支持される。
【先行技術文献】
【特許文献】
【０００４】
【特許文献１】特開２００４−２６１３２８号公報
【発明の概要】
【発明が解決しようとする課題】
【０００５】
ところで上記椅子では、例えば、左右方向に荷重が加わった状態で肘掛けを跳ね上げた場合に、ヒンジピンの外周面が肘掛けの貫通孔の内周面に強く接触すると共に、ナットの側面が後脚本体の側面と強く接触することがある。この場合、ヒンジピンと肘掛けとの摩擦により、ヒンジピンは肘掛けと共に回転しようとする力を受ける一方、ナットと後脚本体との摩擦により、ナットは後脚本体と共に静止し続けようとする力を受ける。そのため、ヒンジピンとナットとには、互いに相対回転しようとする力が加わってしまい、その結果、ヒンジピンとナットとが緩んでしまうという課題があった。
【０００６】
ここで、ヒンジピンとナットとが緩んでしまわないように、緩み止め用の特殊な構造を付加することが考えられる。しかし、軽量且つ簡素な構造が望まれる椅子、例えば浴室用椅子等では、重たい構造物や複雑な構造物を付加することは好ましくない。
【０００７】
本発明はかかる点に鑑みてなされたものであり、その目的とするところは、上下回動自在な肘掛けを備えた椅子において、軽量且つ簡素な構造により、肘掛けを上下回動自在に支持する構造の緩みを防止することにある。
【課題を解決するための手段】
【０００８】
本発明に係る椅子は、使用者が着座する座部と、前記座部を支持する脚部と、正面視において前記座部の側部よりも上方にて上向きに延びる棒状部と、前記棒状部に上下回動自在に支持された肘掛けと、を備えた椅子である。前記棒状部には、左右方向に貫通する孔が形成されている。前記肘掛けは、それぞれ左右方向に貫通する孔が形成された左側板部および右側板部を有し、前記左側板部と前記右側板部との間に前記棒状部が位置するように配置される。前記椅子は更に、前記左側板部および前記右側板部の一方から他方に向かって挿入され、前記左側板部の孔と前記棒状部の孔と前記右側板部の孔とを貫通するボルトと、前記ボルトの先端部に締め付けられ、前記左側板部および前記右側板部の他方と接触するナットと、少なくとも前記棒状部の孔に挿入され、その内部に前記ボルトが挿通されることにより、前記棒状部の孔の内周面と前記ボルトとの間に介在するカラー部材と、を備えている。
【０００９】
上記椅子によれば、ナットは肘掛け（詳しくは、左側板部または右側板部）と接触している。仮に、棒状部の孔の内周面とボルトとが直接接触しているとすると、左右方向に荷重が加わった状態で肘掛けを跳ね上げた場合に、ナットは肘掛けから回転しようとする力を受ける一方、ボルトは棒状部から、静止し続けようとする力を受けることになる。そのため、ボルトおよびナットが相対回転しようとする力を受けてしまい、ボルトとナットとが緩んでしまうおそれがある。しかし、上記椅子によれば、棒状部の孔の内周面とボルトとの間には、カラー部材が介在している。そのため、ボルトと棒状部の孔の内周面とは、直接接触しないようになっている。したがって、左右方向に荷重が加わった状態で肘掛けを跳ね上げた場合であっても、ボルトは棒状部から静止し続けようとする力を受けることはない。よって、ボルトおよびナットは相対回転するような力を受けないため、ボルトとナットとの緩みを抑制することができる。したがって、上記椅子によれば、棒状部の孔の内周面とボルトとの間にカラー部材を介在させるという軽量且つ簡素な構造により、肘掛けを回動自在に支持する構造の緩みを防止することができる。
【００１０】
前記カラー部材は、前記左側板部の孔と前記棒状部の孔と前記右側板部の孔とに挿入され、前記左側板部の孔、前記棒状部の孔、および前記右側板部の孔の内周面と前記ボルトとの間に介在していることが好ましい。
【００１１】
このことにより、カラー部材の位置が左方または右方にずれたとしても、棒状部の孔の内周面とボルトとが接触してしまうことを抑制することができる。したがって、ボルトとナットとの緩みを、より一層抑制することができる。
【００１２】
前記カラー部材の長さは、前記ボルトと前記ナットとを締め付ける前の前記左側板部の孔の左端と前記右側板部の孔の右端との間の距離よりも短い。
【００１３】
このことにより、ボルトとナットとを締め付ける際に、カラー部材が邪魔になることはない。したがって、ボルトとナットとを円滑に締め付けることができる。
【００１４】
前記カラー部材の長さは、前記ボルトと前記ナットとを締め付ける前の前記左側板部の孔の左端と前記右側板部の孔の右端との間の距離よりも、０．１ｍｍ〜２ｍｍ短いことが好ましい。
【００１５】
このことにより、ボルトとナットとを締め付ける際に、カラー部材が邪魔になることはない。また、ボルトとナットとを締め付けた後に、カラー部材の位置ずれを好適に抑制することができ、棒状部の孔の内周面とボルトとが接触してしまうことを十分に抑制することができる。したがって、ボルトとナットとを円滑に締め付けることができると共に、締め付け後におけるボルトとナットとの緩みを十分に抑制することができる。また、ボルトとナットとを締め付ける際に、過剰に締め付けてしまうことを抑制することができる。したがって、肘掛けが回動しづらいといった作動不良が発生することを防止することができる。
【００１６】
前記左側板部、前記右側板部、および前記棒状部は、金属材料から形成され、前記左側板部と前記棒状部との間、および前記右側板部と前記棒状部との間に、左右方向に貫通する孔が形成された樹脂製のカバー部材が設けられ、前記カラー部材は更に、前記カバー部材の孔に挿入されていることが好ましい。
【００１７】
このことにより、金属材料からなる両側板部と棒状部との間に、樹脂製のカバー部材が介在するので、肘掛けの回動に伴って両側板部と棒状部とが直接擦れることを避けることができる。そのため、両側板部および棒状部が削れてしまうことを防止することができる。したがって、両側板部および棒状部の磨耗に起因するボルトおよびナットのがたつきを抑制することができる。
【００２０】
前記椅子は、浴室内で使用される浴室用椅子であってもよい。
【００２１】
浴室用椅子は、狭い浴室内で使用され、また、高齢者等が使用する場合が多いため、小型且つ軽量であることが求められる。上記椅子によれば、肘掛けを回動自在に支持する構造の緩みを軽量且つ簡素な構造によって防止することができるので、浴室用椅子として特に有用である。
【００２２】
前記脚部は、前方斜め下向きに延びる前脚本体を有する前脚部と、後方斜め下向きに延びる後脚本体を有する後脚部とを有し、前記前脚部と前記後脚部とは、互いに水平軸周りに回動自在に結合され、前記棒状部は、前記前脚部または前記後脚部と一体的に形成されていてもよい。
【００２３】
このことにより、上記椅子は、前脚部と後脚部とを互いに回動させることにより、折り畳むことができる。ところで、折り畳み式の椅子は、折り畳むことによってコンパクトに収容することができるという特長を有する。また、折り畳むことによって、容易に運搬することができるという特長を有する。肘掛けを備える折り畳み式の椅子では、上記特長を損なわないように、折り畳んだ際に肘掛けが出っ張らず、また、運搬が容易なように、肘掛けが上下回動自在であることが望まれる。したがって、前述の効果を奏する上記椅子は、折り畳み式の椅子として特に有用である。
【発明の効果】
【００２４】
本発明によれば、上下回動自在な肘掛けを備えた椅子において、軽量且つ簡素な構造により、肘掛けを上下回動自在に支持する構造の緩みを防止することができる。
【図面の簡単な説明】
【００２５】
【図１】実施形態に係る椅子の正面図である。
【図２】実施形態に係る椅子の左側面図である。
【図３】実施形態に係る椅子の肘掛けを跳ね上げた状態の左側面図である。
【図４】実施形態に係る椅子の折り畳んだ状態の左側面図である。
【図５】肘掛け構造の分解斜視図である。
【図６】図２のＶＩ−ＶＩ線断面図である。
【図７】図１のＶＩＩ−ＶＩＩ線断面図である。
【発明を実施するための形態】
【００２６】
以下、図面を参照しながら、本発明の実施の形態について説明する。図１は本実施形態に係る椅子１の正面図、図２は椅子１の左側面図である。本実施形態に係る椅子１は、主に高齢者や身体障害者等が浴室内でシャワーを浴びるとき等に利用される椅子であり、いわゆる浴室用椅子である。また、椅子１は、非使用時等には折り畳んでコンパクトにすることができる折り畳み式の椅子である（図４参照）。ただし、本発明に係る椅子は、浴室用椅子１に限定される訳ではなく、浴室以外の場所で使用される椅子であってもよいことは勿論である。また、本発明に係る椅子は、折り畳み式の椅子に限らず、折り畳むことのできない椅子であってもよい。
【００２７】
以下の説明では、前、後、左、右は、椅子１に着座した者から見た前、後、左、右を言うものとする。図１および図２に示すように、椅子１は、第１フレーム１０と、左右一対の第２フレーム２１と、座部３０と、背もたれ４０と、左右一対の肘掛け５０とを備えている。
【００２８】
第１フレーム１０は、左右一対の前脚部１１と、各前脚部１１の後端部から後方斜め上向きに延びる棒状部１２と、左右の棒状部１２の上端部同士を連結する連結部１３とから構成されている。図２に示すように、前脚部１１は、前後方向に延びる水平部１１ａと、水平部１１ａの前端部から前方斜め下向きに延びる内パイプ部１１ｂと、内パイプ部１１ｂが挿入された外パイプ部１１ｃとを有している。外パイプ部１１ｃの下端部には、滑りを防止するためのゴム脚５が嵌め込まれている。なお、第１フレーム１０は、必ずしも水平部１１ａを備えていなくてもよい。内パイプ部１１ｂと棒状部１２とが連続していてもよい。本実施形態では、左右の内パイプ部１１ｂ、左右の水平部１１ａ、左右の棒状部１２、および連結部１３は、一体的に形成されている。しかし、それらの一または二以上のものが別体に形成され、溶接等により接合されていてもよい。第１フレーム１０の材料は特に限定される訳ではなく、例えば、アルミニウムやステンレス等の金属、または合成樹脂等を好適に用いることができる。ここでは、第１フレーム１０は金属製である。
【００２９】
第２フレーム２１は、後脚部を構成している。第２フレーム２１は、前後方向に延びる水平部２１ａと、水平部２１ａの後端部から後方斜め下向きに延びる内パイプ部２１ｂと、内パイプ部２１ｂが挿入された外パイプ部２１ｃとを有している。ただし、第２フレーム２１は必ずしも水平部２１ａを備えている必要はなく、水平部２１ａは適宜省略することが可能である。第２フレーム２１の材料も特に限定される訳ではなく、例えば、アルミニウムやステンレス等の金属、または合成樹脂等を好適に用いることができる。本実施形態では、第２フレーム２１は第１フレーム１０と同様、金属製である。外パイプ部２１ｃの下端部には、滑りを防止するためのゴム脚５が嵌め込まれている。
【００３０】
第１フレーム１０の水平部１１ａと第２フレーム２１の水平部２１ａとは、水平軸６１を介して連結されている。第２フレーム２１は第１フレーム１０に対し、水平軸６１周りに回動可能に取り付けられている。図４に示すように、第１フレーム１０と第２フレーム２１とを水平軸６１周りに回動させることにより、椅子１を折り畳むことができる。
【００３１】
前脚部１１は、外パイプ部１１ｃに対する内パイプ部１１ｂの挿入量を調整することにより、長さの調整が可能となっている。後脚部としての第２フレーム２１も、外パイプ部２１ｃに対する内パイプ部２１ｂの挿入量を調整することにより、長さの調整が可能となっている。内パイプ部１１ｂおよび外パイプ部１１ｃと、内パイプ部２１ｂおよび外パイプ部２１ｃとは、ほぼ同一の構成を有している。そこで以下では、内パイプ部２１ｂおよび外パイプ部２１ｃの構成を説明し、内パイプ部１１ｂおよび外パイプ部１１ｃの構成の説明は省略する。
【００３２】
図１に示すように、外パイプ部２１ｃには、上下に並ぶ複数の孔２６が形成されている。内パイプ部２１ｂには、孔２６と同程度の大きさの突起２５が形成されている。突起２５は図示しないばね等によって内パイプ部２１ｂの側方に向かって付勢されているが、側方から押し付けることにより、内パイプ部２１ｂ内に埋没させることができる。外パイプ部２１ｃに対する内パイプ部２１ｂの挿入量を調整し、突起２５と所望の孔２６との位置を合わせた後、押し付けていた突起２５を放すと、突起２５は上記孔２６に嵌り込む。これにより、内パイプ部２１ｂを外パイプ部２１ｃに固定することができる。このように、突起２５と係合させる孔２６を適宜選択することにより、後脚部としての第２フレーム２１の長さを段階的に調整することができる。説明は省略するが、前脚部１１についても同様である。前脚部１１および後脚部（すなわち、第２フレーム２１）の長さを変更することにより、使用者の体格に合わせて、座部３０および肘掛け５０の床面からの高さを調整することができる。
【００３３】
図４に示すように、座部３０は、回転軸６２を介して、第２フレーム２１の水平部２１ａの先端部分に取り付けられている。座部３０は第２フレーム２１に対して回動可能である。第１フレーム１０の左右の水平部１１ａには、左右に延びるバー７１およびバー７３が架け渡されている。左右の第２フレーム２１の水平部２１ａには、左右に延びるバー７２が架け渡されている。座部３０は、椅子１が折り畳まれた非使用時（図４参照）にはそれらのバー７１，７２，７３から離反するが、使用時（図２参照）にはそれらのバー７１，７２，７３に支持される。座部３０は、それらのバー７１，７２，７３を介して、第１フレーム１０の水平部１１ａおよび第２フレーム２１の水平部２１ａに支持される。
【００３４】
図１に示すように、第１フレーム１０の左右の棒状部１２の上端部同士は、連結部１３を介して接続されている。連結部１３は、左右に延びるパイプ状に形成されている。背もたれ４０は連結部１３の前部に取り付けられている。ただし、連結部１３は必ずしも必要ではなく、背もたれ４０は適宜省略することができる。
【００３５】
図１に示すように、棒状部１２は、正面視において、座部３０の側部よりも上方にて上向きに延びている。本実施形態では、棒状部１２は後方斜め上向きに延びており、鉛直方向から傾いているが、棒状部１２は鉛直方向に延びていてもよい。また、棒状部１２は、前方斜め上向きに延びていてもよい。棒状部１２は真っ直ぐに延びていてもよく、曲がっていてもよい。本実施形態では、棒状部１２は中空状に形成されている。言い換えると、棒状部１２はパイプによって形成されている。ただし、棒状部１２は中実状であってもよい。棒状部１２の断面形状は円形状に限らず、四角形状、六角形状等の他の形状であってもよい。
【００３６】
肘掛け５０は、棒状部１２に上下回動可能に取り付けられている。すなわち、肘掛け５０は回動式のものである。使用者が椅子１に座るときには、例えば図３に示すように、肘掛け５０を上向きに回動させて跳ね上げることにより、座部３０の側方を開放することができる。これにより、使用者は側方から座部３０に容易に着座することができる。使用者が座部３０に着座した後は、肘掛け５０を逆方向に回動させることによって、図２に示すように、肘掛け５０を略水平な姿勢にすることができる。これにより、使用者は両手を肘掛け５０の上に置き、椅子１の上に安定して座ることができる。
【００３７】
前述したように、本実施形態に係る椅子１は折り畳み可能な椅子である。図４に示すように、椅子１を折り畳んだ際、肘掛け５０を跳ね上げることにより、肘掛け５０が出っ張らないようにすることができる。そのため、椅子１は、コンパクトに収納することができる。また、コンパクトにすることができるので、容易に持ち運ぶことが可能となる。
【００３８】
次に、肘掛け５０と、肘掛け５０を上下回動自在に支持する各部材とについて説明する。なお、以下では、肘掛け５０と肘掛け５０を上下回動自在に支持する各部材との全体を、便宜上、肘掛け構造と称することとする。
【００３９】
図５に示すように、肘掛け５０は、肘掛け本体５１と、肘掛け本体５１を支持する支持体５２とからなっている。肘掛け本体５１の根元部は左右に分岐し、互いに左右に離間する左側板５１Ｌと右側板５１Ｒとが形成されている。左側板５１Ｌおよび右側板５１Ｒには、左右方向に貫通する孔５１ａがそれぞれ形成されている。
【００４０】
支持体５２は、左側板５２Ｌと、右側板５２Ｒと、左側板５２Ｌおよび右側板５２Ｒの先端部をつなぐ天板５２Ｂとから構成されている。これら左側板５２Ｌと右側板５２Ｒと天板５２Ｂとは一体形成されている。ただし、左側板５２Ｌと右側板５２Ｒと天板５２Ｂとは、互いに別体に形成され、組み合わされていてもよい。左側板５２Ｌと右側板５２Ｒとは左右に離間している。左側板５２Ｌおよび右側板５２Ｒには、左右方向に貫通する孔５２ａがそれぞれ形成されている。左側板５２Ｌと右側板５２Ｒとには、棒状体からなる架設部材５３が架け渡されている。架設部材５３は、孔５２ａの前方斜め下の位置にて左右方向に延びている。左側板５２Ｌおよび右側板５２Ｒの架設部材５３よりも後方の位置には、段部５４が設けられている。
【００４１】
支持体５２は、肘掛け本体５１の内側に嵌め込まれ、肘掛け本体５１に固定される。支持体５２の天板５２Ｂは、肘掛け本体５１の下部に固定される。支持体５２の左側板５２Ｌは肘掛け本体５１の左側板５１Ｌの右方に配置され、支持体５２の右側板５２Ｒは肘掛け本体５１の右側板５１Ｒの左方に配置される。これら左側板５１Ｌおよび左側板５２Ｌによって、肘掛け５０の左側板部が形成され、右側板５１Ｒおよび右側板５２Ｒによって、肘掛け５０の右側板部が形成されている。
【００４２】
なお、肘掛け５０は、必ずしも肘掛け本体５１および支持体５２の２つの部材から構成されている必要はない。肘掛け５０は、３つ以上の部材を組み合わせることによって構成されていてもよい。また、肘掛け５０は、単一の部材によって構成されていてもよい。
【００４３】
棒状部１２には、樹脂製のカバー部材５５が取り付けられている。カバー部材５５は、左側板５５Ｌと、右側板５５Ｒ（図６参照）と、これら左側板５５Ｌおよび右側板５５Ｒを連結する中央板５５Ｃとを有している。カバー部材５５は、棒状部１２が左側板５５Ｌと右側板５５Ｒとの間に配置されるようにして、棒状部１２に取り付けられる。左側板５５Ｌおよび右側板５５Ｒには、左右方向に貫通する孔５５ａがそれぞれ形成されている。
【００４４】
また、左側板５５Ｌおよび右側板５５Ｒには、支持体５２の架設部材５３がスライド自在に係合するスライド溝５６がそれぞれ形成されている。支持体５２の架設部材５３がスライド溝５６内をスライドすることにより、肘掛け５０の回動が案内され、また、肘掛け５０の所定量以上の回動が規制される。
【００４５】
また、カバー部材５５には、左側板５５Ｌおよび右側板５５Ｒを貫通するストッパ５７が設けられている。ストッパ５７は、左側板５５Ｌの左方および右側板５５Ｒの右方に突出している。跳ね上げられた状態から肘掛け５０を下方に回動させると、支持体５２の段部５４がストッパ５７と当接し、肘掛け５０は、水平な姿勢となる所定の位置に維持される。使用者が肘掛け５０に加えた荷重は、支持体５２の段部５４およびストッパ５７を介して棒状部１２に支持される。
【００４６】
棒状部１２とカバー部材５５との間には、断面コ字状の取付台１８が設けられている。取付台１８はカバー部材５５および肘掛け５０を安定して取り付けるためのものであり、棒状部１２に溶接されている。ただし、棒状部１２に対する取付台１８の固定態様は特に限定される訳ではない。図６に示すように、取付台１８は、棒状部１２の左側に固定された左側板１８Ｌと、棒状部１２の右側に固定された右側板１８Ｒとを有している。図示は省略するが、左側板１８Ｌと右側板１８Ｒとの前端部同士は、中央板によって連結されている。左側板１８Ｌおよび右側板１８Ｒには、左右方向に貫通する孔１８ａがそれぞれ形成されている。
【００４７】
図６に示すように、棒状部１２には、左右方向に貫通する孔１２ａが形成されている。肘掛け本体５１の左側板５１Ｌの孔５１ａ、支持体５２の左側板５２Ｌの孔５２ａ、カバー部材５５の左側板５５Ｌの孔５５ａ、取付台１８の左側板１８Ｌの孔１８ａ、棒状部１２の孔１２ａ、取付台１８の右側板１８Ｒの孔１８ａ、カバー部材５５の右側板５５Ｒの孔５５ａ、支持体５２の右側板５２Ｒの孔５２ａ、および肘掛け本体５１の右側板５１Ｒの孔５１ａには、カラー部材６５が挿入されている。
【００４８】
カラー部材６５は、内周面および外周面が平滑な面からなる円筒部材によって形成されている。ただし、カラー部材６５の形状は特に限定される訳ではない。本実施形態では、カラー部材６５はステンレスからなっている。ただし、カラー部材６５の材料は特に限定されず、アルミニウム等の他の金属であってもよく、樹脂等の他の材料であってもよい。
【００４９】
カラー部材６５には、左方から右方に向かってボルト６６が挿入されている。なお、ボルト６６の挿入方向は特に限定されず、ボルト６６は右方から左方に向かって挿入されていてもよい。肘掛け本体５１の左側板５１Ｌの孔５１ａの周囲には、右方に凹んだ窪み５８Ｌが形成されている。ボルト６６の頭部６６ａは、窪み５８Ｌの内側に配置されている。ボルト６６の頭部６６ａと肘掛け本体５１の左側板５１Ｌとの間には、ワッシャ７６が介在している。ただし、ワッシャ７６は必ずしも必要ではなく、適宜省略することが可能である。
【００５０】
ボルト６６の先端部には、ナット６７が締め付けられている。肘掛け本体５１の右側板５１Ｒの孔５１ａの周囲には、左方に凹んだ窪み５８Ｒが形成されている。ナット６７は、窪み５８Ｒの内側に配置されている。ナット６７と肘掛け本体５１の右側板５１Ｒとの間には、ワッシャ７７が介在している。ただし、このワッシャ７７も必ずしも必要ではなく、適宜省略することが可能である。
【００５１】
ボルト６６およびナット６７の形状および寸法は、棒状部１２の孔１２ａやカラー部材６５等の形状および寸法に応じて適宜設定すればよく、特に限定されない。例えば、ボルト６６として、いわゆるＭ６サイズ（外径が６ｍｍ）のねじ等を好適に用いることができる。ナット６７として、例えばＵナット（登録商標）等を好適に用いることができる。
【００５２】
図６は、ボルト６６とナット６７とを締め付ける前の状態を表している。ここで、カラー部材６５の長さをＬ１とする。肘掛け本体５１の左側板５１Ｌの孔５１ａの左端と、肘掛け本体５１の右側板５１Ｒの孔５１ａの右端との間の距離をＬ２とする。ボルト６６とナット６７とを締め付けると、肘掛け本体５１の左側板５１Ｌと右側板５１Ｒとは互いに接近するため、上記距離Ｌ２は短くなる。ところが、カラー部材６５の長さＬ１が長すぎると、ボルト６６の頭部６６ａおよびナット６７が、ワッシャ７６およびワッシャ７７を介してカラー部材６５の端面と当接してしまい、ボルト６６とナット６７との締結が妨げられるおそれがある。すなわち、カラー部材６５が邪魔になって、ボルト６６とナット６７とを十分に締め付けられないおそれがある。
【００５３】
そこで本実施形態では、カラー部材６５の長さＬ１は、ボルト６６とナット６７とを締め付ける前の上記距離Ｌ２、すなわち、肘掛け本体５１の左側板５１Ｌの孔５１ａの左端と右側板５１Ｒの孔５１ａの右端との間の距離Ｌ２よりも短く設定されている。これにより、ボルト６６とナット６７とを締め付ける際に、カラー部材６５が邪魔になることは防止される。なお、カラー部材６５の長さＬ１は、ボルト６６とナット６７とを締め付けた後の上記距離Ｌ２よりも短くてもよく、等しくてもよい。カラー部材６５の長さＬ１の具体的数値は特に限定される訳ではないが、例えば、ボルト６６とナット６７とを締め付ける前の上記距離Ｌ２よりも０．１ｍｍ〜２ｍｍ程度短いことが好ましい。本実施形態では、長さＬ１は距離Ｌ２よりも１ｍｍ短くなっている。これにより、ボルト６６とナット６７とを良好に締め付けることができると共に、締め付け後にカラー部材６５が左右にがたつくことを抑えることができる。
【００５４】
以上が肘掛け構造の構成である。次に、肘掛け５０が回動する際のボルト６６およびナット６７の挙動について説明する。図６に示すように、ボルト６６の頭部６６ａは、ワッシャ７６を介して、肘掛け本体５１の左側板５１Ｌと接触している。ナット６７は、ワッシャ７７を介して、肘掛け本体５１の右側板５１Ｒと接触している。そのため、肘掛け５０を回動させると、ボルト６６およびナット６７は、肘掛け本体５１から摩擦力を受け、肘掛け５０と共に回動しようとする力を受ける。ここで、ボルト６６はカラー部材６５に対して回転可能である。そのため、ボルト６６は、肘掛け５０の回動に伴って、カラー部材６５の内側にて回動する。
【００５５】
ところで、棒状部１２、取付台１８、およびカバー部材５５は、肘掛け５０と異なり、静止したままである。しかし、ボルト６６の周囲にはカラー部材６５が配置されているため、棒状部１２の孔１２ａの内周面とボルト６６との接触、取付台１８の孔１８ａの内周面とボルト６６との接触、およびカバー部材５５の孔５５ａの内周面とボルト６６との接触は、それぞれ防止される。したがって、それらの孔１２ａ、孔１８ａ、および孔５５ａの内周面とボルト６６との間で摩擦が生じることはなく、ボルト６６が棒状部１２、取付台１８、およびカバー部材５５から、静止し続けようとする力を受けることはない。したがって、肘掛け５０に左右方向に荷重が加わった状態で肘掛け５０を回動させた場合であっても、ボルト６６とナット６７とが互いに逆方向の力を受けることはないため、ボルト６６とナット６７との緩みを抑制することができる。
【００５６】
以上のように、本実施形態に係る椅子１によれば、肘掛け５０に左右方向の荷重が加わった状態で肘掛け５０を回動させた場合であっても、ボルト６６とナット６７とに逆方向の回転力が加わることはないため、ボルト６６とナット６７との緩みを抑えることができる。したがって、肘掛け５０のがたつきを未然に防止することができる。本実施形態に係る椅子１によれば、棒状部１２の孔１２ａの内周面等とボルト６６との間にカラー部材６５を介在させることにより、上記効果を得ることができる。すなわち、カラー部材６５という軽量且つ簡素な構造を付加することにより、ボルト６６とナット６７との緩みを抑制することが可能となる。
【００５７】
なお、カラー部材６５は、肘掛け５０の回動時に、静止している側の部材の孔（本実施形態では、棒状部１２の孔１２ａ、取付台１８の孔１８ａ、およびカバー部材５５の孔５５ａ）の内周面とボルト６６との間に介在していればよく、回動する側の部材の孔（本実施形態では、肘掛け本体５１の孔５１ａおよび支持体５２の孔５２ａ）の内周面とボルト６６との間に介在している必要は必ずしもない。そのため、カラー部材６５を短く形成することも可能である。しかし本実施形態によれば、カラー部材６５は、肘掛け本体５１の孔５１ａ、支持体５２の孔５２ａ、カバー部材５５の孔５５ａ、取付台１８の孔１８ａ、および棒状部１２の孔１２ａの内周面とボルト６６との間に介在するように形成されている。そのため、カラー部材６５の位置が左方または右方にずれたとしても、棒状部１２の孔１２ａ、取付台１８の孔１８ａ、およびカバー部材５５の孔５５ａの内周面とボルト６６との接触を確実に防止することができる。したがって、ボルト６６とナット６７との緩みをより一層抑制することができる。
【００５８】
本実施形態によれば、金属材料からなる支持体５２の左側板５２Ｌと取付台１８の左側板１８Ｌとの間に、樹脂製のカバー部材５５の左側板５５Ｌが介在している。同様に、金属材料からなる支持体５２の右側板５２Ｒと取付台１８の右側板１８Ｒとの間に、樹脂製のカバー部材５５の右側板５５Ｒが介在している。そのため、左側板５２Ｌと左側板１８Ｌとの間の磨耗、ならびに、右側板５２Ｒと右側板１８Ｒとの間の磨耗を防止することができる。したがって、それらの磨耗に起因するボルト６６およびナット６７のがたつきを抑制することができる。
【００５９】
上述の通り、本実施形態によれば、カラー部材６５という軽量且つ簡素な構造物を追加するだけで、ボルト６６とナット６７との緩みを抑制することができる。浴室用の椅子１は、狭い浴室内で使用され、また、高齢者等が使用する場合が多いため、小型且つ軽量であることが求められる。したがって、本実施形態に係る椅子１は、浴室用椅子として特に有用である。
【００６０】
また、本実施形態に係る椅子１は、折り畳み式の椅子である。折り畳み式の椅子は、折り畳むことによってコンパクトに収容することができ、また、運搬が容易であるという特長を有する。肘掛け５０を備える折り畳み式の椅子１では、上記特長を損なわないように、折り畳んだ際に肘掛け５０が出っ張らず、また、運搬が容易なように、折り畳みに伴って肘掛け５０を回動させることが多い。本実施形態に係る椅子１によれば、肘掛け５０を頻繁に回動させても、ボルト６６およびナット６７の緩みは生じにくい。したがって、本実施形態に係る椅子１によれば、折り畳み式の椅子として特に有用である。
【００６１】
本発明に係る椅子は、前記実施形態の椅子１に限らず、他に種々の形態で実施することができる。次に、椅子１の変形例について簡単に説明する。
【００６２】
前記実施形態では、肘掛け６０が回動する際に、カラー部材６５は回動しないように形成されていた。しかし、カラー部材６５は、棒状部１２の孔１２ａ等の内周面とボルト６６との接触を防止すれば足り、カラー部材６５自体の回動の有無は特に限定されない。カラー部材６５は、肘掛け６０の回動に伴って回動してもよい。
【００６３】
前記実施形態のように、カラー部材６５の内部でボルト６６が回動する場合、カラー部材６５の外側の輪郭形状は円形状でなくてもよい。カラー部材６５は、棒状部１２の孔１２ａ等に応じた形状であればよく、例えば、八角形状等であってもよい。
【００６４】
カラー部材６５は、棒状部１２の孔１２ａ等の内周面とボルト６６との接触を防止すれば足り、棒状部１２の孔１２ａ等の内周面と接触しない部分（例えば、図６における棒状部１２の左右の孔１２ａの間の部分）に切り欠き等が形成されていてもよい。また、棒状部１２の孔１２ａ等の内周面とボルト６６との接触を防止できる限り、カラー部材６５のほぼ全長にわたってスリット等が形成されていてもよい。
【００６５】
カラー部材６５は、必ずしも一体物でなくてもよく、複数の部材が組み合わされて構成されていてもよい。例えば、複数のリング状部材が軸方向に配列されることにより、カラー部材６５を構成していてもよい。
【００６６】
前記実施形態では、ナット６７は回動する側の部材（肘掛け５０）と接触し、カラー部材６５は、静止している側の部材の孔（棒状部１２の孔１２ａ等）の内周面とボルト６６との間に介在していた。しかし、肘掛け５０および棒状部１２の構造に変更を加え、ナット６７を静止側の部材と接触させ、回動側の部材の孔の内周面とボルト６６との間にカラー部材６５を介在させるようにしてもよい。カラー部材６５は、肘掛け５０の回動時にボルト６６とナット６７とに相対回転するような力が加わることを抑制するものであればよく、ナット６７が接触する部材は回動側の部材であってもよく、静止側の部材であってもよい。
【００６７】
前記実施形態では、棒状部１２は前脚部１１と連続していたが、棒状部１２は後脚部（すなわち、第２フレーム２１）と連続していてもよい。また、棒状部１２は、前脚部１１および後脚部から独立していてもよい。
【００６８】
前記実施形態では、脚部は２本の前脚部１１と２本の後脚部とから構成されていた。しかし、脚部の本数は特に限定される訳ではない。また、脚部の構成は何ら限定される訳ではない。脚部は、長さ調整可能な脚部に限定されず、長さ調整ができない脚部であってもよい。
【００６９】
前述の通り、本発明に係る椅子は、浴室用椅子および折り畳み式の椅子として特に有用であるが、必ずしも浴室用椅子または折り畳み式の椅子に限定される訳ではない。
【符号の説明】
【００７０】
１      椅子
１１    前脚部（脚部）
１２    棒状部
１２ａ  棒状部の孔
２０    第２フレーム（脚部）
３０    座部
５０    肘掛け
５１    肘掛け本体
５１Ｌ  肘掛け本体の左側板（左側板部）
５１Ｒ  肘掛け本体の右側板（右側板部）
５２    支持体
５２Ｌ  支持体の左側板（左側板部）
５２Ｒ  支持体の右側板（右側板部）
６５    カラー部材
６６    ボルト
６７    ナット
【図１】
0005738104.tif 000002
【図２】
0005738104.tif 000003
【図３】
0005738104.tif 000004
【図４】
0005738104.tif 000005
【図５】
0005738104.tif 000006
【図６】
0005738104.tif 000007
【図７】
0005738104.tif 000008